(57)【要約】      （修正有）【課題】組立て時間および組立て人件費を削減するために自動で組み立てることができる労働節約的なコネクタおよびコネクタハウジングを提供すること。【解決手段】コネクタ１００およびコネクタハウジング２が開示される。コネクタは、受取り通路２５が形成されているハウジングと、挿入方向に挿入され、受取り通路内に取り付けられた端子１とを含む。少なくとも１つの制限突起２２が、受取り通路の壁に配置され、その少なくとも１つの制限突起は、端子が受取り通路に事前挿入されるとき、端子に当接して端子の一部分を受取り通路の外側で保持するように構成されている。【選択図】図１
2019212624.tif 000002
【特許請求の範囲】
【請求項１】
受取り通路が形成されたハウジングと、
挿入方向に挿入され、前記受取り通路内に取り付けられた端子とを備え、
少なくとも１つの制限突起が、前記受取り通路の壁に設けられ、前記制限突起は、前記端子が前記受取り通路に事前挿入されるとき、前記端子に当接して前記端子の一部分を前記受取り通路の外側で保持するように構成されている、
コネクタ。
【請求項２】
前記制限突起は、前記端子によってこすり取られて、前記端子を前記受取り通路に完全に挿入して取り付けることを可能にする、
請求項１に記載のコネクタ。
【請求項３】
前記端子は、
本体部と、
前記本体部の２つの対辺から前記本体部の上側に向かって上方へ延びる２つの固定アームであって、前記端子の前端から挿入された嵌合端子を前記本体部と前記固定アームとの間で固定する固定アームと、
前記本体部の後端に接続された圧着部とを備えている、
請求項２に記載のコネクタ。
【請求項４】
前記圧着部は、前記本体部の一方の側から前記挿入方向に直交する方向に外方へ延びている、
請求項３に記載のコネクタ。
【請求項５】
前記ハウジングは、前記受取り通路の後端で前記挿入方向に直交する前記方向に外方へ延びる補助受取り部を有するようにさらに形成され、前記補助受取り部は、前記端子の前記圧着部を受け取るように前記受取り通路と連通している、
請求項４に記載のコネクタ。
【請求項６】
前記挿入方向に延びる位置決め部が、前記受取り通路の頂壁に設けられ、前記位置決め部は、前記端子が前記ハウジングに事前挿入されるとき、それぞれ前記端子の前記固定アームを案内して前記受取り通路に挿入させ、前記固定アームを前記受取り通路内に位置決めするように構成されている、
請求項５に記載のコネクタ。
【請求項７】
前記制限突起は、前記受取り通路の底壁に位置している、
請求項６に記載のコネクタ。
【請求項８】
前記圧着部は、前記挿入方向とは反対の方向に延びている、
請求項３に記載のコネクタ。
【請求項９】
前記挿入方向に延びるリブが側壁に設けられ、前記リブは前記制限突起を備えている、
請求項８に記載のコネクタ。
【請求項１０】
前記挿入方向に延びる位置決め部が、前記受取り通路の前記側壁に設けられ、前記位置決め部は、前記端子が前記ハウジングに事前挿入されるとき、それぞれ前記端子の前記固定アームをそれぞれ案内して前記受取り通路に挿入させ、前記固定アームをそれぞれ位置決めするように構成されている、
請求項９に記載のコネクタ。
【請求項１１】
前記挿入方向に延びる案内スロットが、前記受取り通路の底壁に設けられており、前記端子の底壁の下方突出部を案内するようになっている、
請求項１から１０のいずれか一項に記載のコネクタ。
【請求項１２】
前記端子は、前記挿入方向とは反対の方向に前記端子の底壁から斜め上方へ延びる解放アームをさらに備え、前記解放アームは、上方へ曲がっている後端を有し、前記後端は、完全に挿入された前記端子に対して前記ハウジングが後方へ動かされたとき、前記挿入された嵌合端子を解放するように前記ハウジングによって押し下げられる駆動部として働くようになっている、
請求項３から１０のいずれか一項に記載のコネクタ。
【請求項１３】
前記端子は、前記解放アームに形成された固定突起をさらに備え、前記固定突起は、前記嵌合端子の固定孔と協働して前記嵌合端子を前記本体部と前記固定アームとの間でロックするように構成されている、
請求項１２に記載のコネクタ。
【請求項１４】
前記ハウジングは、前記受取り通路の頂壁から下方へ延びる傾斜壁をさらに備え、前記傾斜壁は、前記完全に挿入された端子に対して前記ハウジングが後方へ動いたとき、前記駆動部を下方へ駆動して前記固定突起を前記固定孔から切り離し、前記挿入された嵌合端子を解放するように構成されている、
請求項１３に記載のコネクタ。
【請求項１５】
挿入方向に挿入されて取り付けられる端子を受け取るように構成された受取り通路を備えているコネクタハウジングであって、
少なくとも１つの制限突起が、前記受取り通路の壁に設けられ、前記制限突起は、前記端子が前記コネクタハウジングに事前挿入されるとき、前記端子に当接して、前記端子の一部分を前記コネクタハウジングの外側で保持するように構成されている、
コネクタハウジング。
【請求項１６】
前記制限突起は、前記端子によってこすり取られて、前記端子を前記受取り通路に完全に挿入して取り付けることを可能にする、
請求項１５に記載のコネクタハウジング。
【請求項１７】
前記受取り通路の後端で前記挿入方向に直交する方向に外方へ延びる補助受取り部をさらに備え、前記補助受取り部は、前記端子の圧着部を受け取るように前記受取り通路と連通している、
請求項１５または１６に記載のコネクタハウジング。
【請求項１８】
前記挿入方向に延びる位置決め部が、前記受取り通路の頂壁に設けられ、前記位置決め部は、前記端子が前記コネクタハウジングに事前挿入されるとき、前記端子を案内して前記受取り通路に挿入させ、前記端子を前記受取り通路内に位置決めするように構成されている、
請求項１７に記載のコネクタハウジング。
【請求項１９】
前記受取り通路の後端で前記挿入方向とは反対の方向に延びる補助受取り部をさらに備え、前記補助受取り部は、前記端子の圧着部を受け取るように前記受取り通路と連通している、
請求項１５または１６に記載のコネクタハウジング。
【請求項２０】
前記挿入方向に延びるリブが側壁に設けられ、前記リブは前記制限突起を備えている、
請求項１５から１８のいずれか一項に記載のコネクタハウジング。
【発明の詳細な説明】
【技術分野】
【０００１】
関連発明の相互参照
本開示は、開示全体が参照により本明細書に組み込まれている、２０１８年６月１日に中国国家知識産権局に出願された中国特許出願第２０１８２１１７２０２０．７号の利益を主張するものである。
【０００２】
本開示の少なくとも１つの実施形態は、コネクタおよびコネクタハウジングに関し、詳細にはどちらも自動組立てを実現することが可能なコネクタおよびコネクタハウジングに関する。
【背景技術】
【０００３】
コネクタは、産業用設備および家庭用電気器具で広く使用されている。使用時には、組み立てられたコネクタを形成するために、操作者がワイヤを端子に圧着し、次いでワイヤが圧着された端子をハウジングに完全に挿入することがしばしば必要である。この組立て工程は手作業で実行されるため、多数のコネクタが必要とされる場合、コネクタを組み立てるには長い時間および高い人件費がかかり、したがって多数のコネクタに対する需要を満たすことができない。
【発明の概要】
【発明が解決しようとする課題】
【０００４】
本開示は、前述の欠点のうちの少なくとも１つの態様を克服または軽減するためになされたものである。
【課題を解決するための手段】
【０００５】
本開示の少なくとも１つの実施形態は、組立て時間および組立て人件費を削減するために自動で組み立てることができる労働節約的なコネクタおよびコネクタハウジングを提供することである。
【０００６】
本開示の一態様によれば、受取り通路が形成されたハウジングと、挿入方向に挿入され、受取り通路内に取り付けられた端子とを備えているコネクタが提供される。少なくとも１つの制限突起が、受取り通路の壁に配置され、制限突起は、端子が受取り通路に事前挿入されるとき、端子に当接して端子の一部分を受取り通路の外側で保持するように構成されている。
【０００７】
本開示の別の例示的な実施形態によれば、制限突起は、端子によってこすり取られて、端子を受取り通路に完全に挿入して取り付けることを可能にする。
【０００８】
本開示の別の例示的な実施形態によれば、少なくとも１つの制限突起は、受取り通路の底壁、側壁、および頂壁のうちのいずれか１つまたはすべてに配置されている。
【０００９】
本開示の別の例示的な実施形態によれば、端子は、本体部と、本体部の２つの対辺から本体部の上側に向かって上方へ延びる２つの固定アームであって、端子の前端から挿入された嵌合端子を本体部と固定アームとの間で固定する固定アームと、本体部の後端に接続された圧着部とを含む。
【００１０】
本開示の別の例示的な実施形態によれば、圧着部は、本体部の一方の側から挿入方向に直交する方向に外方へ延びている。
【００１１】
本開示の別の例示的な実施形態によれば、ハウジングは、受取り通路の後端で挿入方向に直交する方向に外方へ延びる補助受取り部を有するようにさらに形成され、補助受取り部は、端子の圧着部を受け取るように受取り通路と連通している。
【００１２】
本開示の別の例示的な実施形態によれば、挿入方向に延びる位置決め部が、受取り通路の頂壁に設けられ、位置決め部は、端子がハウジングに事前挿入されるとき、それぞれ端子の固定アームを案内して受取り通路に挿入させ、固定アームを受取り通路内に位置決めするように構成されている。
【００１３】
本開示の別の例示的な実施形態によれば、制限突起は、受取り通路の底壁に位置している。
【００１４】
本開示の別の例示的な実施形態によれば、圧着部は、挿入方向とは反対の方向に延びている。
【００１５】
本開示の別の例示的な実施形態によれば、制限突起は、受取り通路の側壁に配置されている。
【００１６】
本開示の別の例示的な実施形態によれば、挿入方向に延びるリブが側壁に設けられ、リブは制限突起を備えている。
【００１７】
本開示の別の例示的な実施形態によれば、挿入方向に延びる位置決め部が、受取り通路の側壁に設けられ、位置決め部は、端子がハウジングに事前挿入されるとき、それぞれ端子の固定アームを案内して受取り通路に挿入させ、固定アームを受取り通路内に位置決めするように構成されている。
【００１８】
本開示の別の例示的な実施形態によれば、挿入方向に延びる案内スロットが、受取り通路の底壁に設けられており、端子の底壁の下方突出部を案内するようになっている。
【００１９】
本開示の別の例示的な実施形態によれば、端子は、挿入方向とは反対の方向に端子の底壁から斜め上方へ延びる解放アームをさらに備え、解放アームは、上方へ曲がっている後端を有し、この後端は、完全に挿入された端子に対してハウジングが後方へ動かされたとき、挿入された嵌合端子を解放するようにハウジングによって押し下げられる駆動部として働くようになっている。
【００２０】
本開示の別の例示的な実施形態によれば、端子は、解放アームに形成された固定突起をさらに備え、固定突起は、嵌合端子の固定孔と協働して嵌合端子を本体部と固定アームとの間でロックするように構成されている。
【００２１】
本開示の別の例示的な実施形態によれば、ハウジングは、受取り通路の頂壁から下方へ延びる傾斜壁をさらに備え、傾斜壁は、完全に挿入された端子に対してハウジングが後方へ動いたとき、駆動部を下方へ駆動して固定突起を固定孔から切り離し、それによって挿入された嵌合端子を解放するように構成されている。
【００２２】
本開示の別の例示的な実施形態によれば、ハウジングは、ハウジングの前端に形成された阻止突起をさらに備え、阻止突起は、端子がハウジングに完全に挿入されたとき、端子を阻止するように構成されている。
【００２３】
本開示の別の例示的な実施形態によれば、挿入方向に挿入されて取り付けられる端子を受け取るように構成された受取り通路を備えているコネクタハウジングが提供される。少なくとも１つの制限突起が、受取り通路の壁に設けられ、制限突起は、端子がコネクタハウジングに事前挿入されるとき、端子に当接して端子の一部分をコネクタハウジングの外側で保持するように構成されている。
【００２４】
本開示の別の例示的な実施形態によれば、制限突起は、端子によってこすり取られて、端子を受取り通路に完全に挿入して取り付けることを可能にする。
【００２５】
本開示の別の例示的な実施形態によれば、少なくとも１つの制限突起は、受取り通路の底壁、側壁、および頂壁のうちのいずれか１つまたはすべてに配置されている。
【００２６】
本開示の別の例示的な実施形態によれば、コネクタハウジングは、受取り通路の後端で挿入方向に直交する方向に外方へ延びる補助受取り部をさらに備え、補助受取り部は、端子の圧着部を受け取るように受取り通路と連通している。
【００２７】
本開示の別の例示的な実施形態によれば、挿入方向に延びる位置決め部が、受取り通路の頂壁に設けられ、位置決め部は、端子がコネクタハウジングに事前挿入されるとき、端子を案内して受取り通路に挿入させ、端子を受取り通路内に位置決めするように構成されている。
【００２８】
本開示の別の例示的な実施形態によれば、制限突起は、受取り通路の底壁に位置している。
【００２９】
本開示の別の例示的な実施形態によれば、コネクタハウジングは、受取り通路の後端で挿入方向とは反対の方向に外方へ延びる補助受取り部をさらに備え、補助受取り部は、端子の圧着部を受け取るように受取り通路と連通している。
【００３０】
本開示の別の例示的な実施形態によれば、制限突起は、受取り通路の側壁に配置されている。
【００３１】
本開示の別の例示的な実施形態によれば、挿入方向に延びるリブが側壁に設けられ、リブは制限突起を備えている。
【００３２】
本開示の別の例示的な実施形態によれば、挿入方向に延びる位置決め部が、受取り通路の側壁に設けられ、位置決め部は、端子がコネクタハウジングに事前挿入されるとき、端子を案内して受取り通路に挿入させ、端子を受取り通路内に位置決めするように構成されている。
【００３３】
本開示の別の例示的な実施形態によれば、コネクタハウジングは、コネクタハウジングの前端に形成された阻止突起をさらに備え、阻止突起は、端子がコネクタハウジングに完全に挿入されたとき、端子を阻止するように構成されている。
【００３４】
本開示の上記その他の特徴は、本開示の例示的な実施形態について添付の図面を参照して詳細に説明することによって、より明らかになる。
【図面の簡単な説明】
【００３５】
【図１】本開示の例示的な実施形態によるコネクタの分解斜視図である。
【図２】事前挿入された状態にある図１に示すコネクタの斜視図である。
【図３】図１に示すコネクタの断面図である。
【図４】図２に示すコネクタの断面図である。
【図５】本開示の別の例示的な実施形態によるコネクタの分解斜視図である。
【図６】事前挿入された状態にある図５に示すコネクタの斜視図である。
【図７】図５に示すコネクタのハウジングの斜視図である。
【図８】図５に示すコネクタの断面図である。
【図９】図６に示すコネクタの断面図である。
【図１０】図９に示すコネクタ内の端子の断面図である。
【発明を実施するための形態】
【００３６】
本開示の技術的な解決策について、実施形態によって添付の図面を参照してさらに具体的に以下に説明する。本明細書では、同じまたは類似の参照番号は、同じまたは類似の構成要素を指す。添付の図面を参照する本開示の実施形態の説明は、本開示の発明の一般概念について説明することを意図したものであり、本開示の限定と解釈されるべきではない。
【００３７】
加えて、以下の詳細な説明では、本開示の実施形態の包括的な理解を提供するために、説明を容易にするように多数の具体的な詳細について述べる。しかし、１つまたは複数の実施形態は、これらの具体的な詳細がなくても実行することができることは明らかである。他の例では、よく知られている構造およびデバイスは、図を簡略化するために図表の形式で示す。
【００３８】
以下、区別および説明の便宜上、図１に示すコネクタ１００を第１のコネクタ１００と呼び、図５に示すコネクタ２００を第２のコネクタ２００と呼ぶ。第１のコネクタ１００および第２のコネクタ２００の構造上または機能上類似している構成要素もまた、「第１」および「第２」によって区別する。しかしこれは限定的ではなく、「第１」および「第２」は入れ替えて使用することもできる。
【００３９】
本開示の一般概念によれば、受取り通路が形成されたハウジングと、挿入方向に挿入され、受取り通路内に取り付けられた端子とを備えているコネクタが提供される。少なくとも１つの制限突起が、受取り通路の壁に配置され、制限突起は、端子が受取り通路に事前挿入されるとき、端子に当接して端子の一部分を受取り通路の外側で保持するように構成されている。
【００４０】
本開示の別の一般概念によれば、挿入方向に挿入されて取り付けられた端子を受け取るように構成された受取り通路を備えているコネクタハウジングが提供される。少なくとも１つの制限突起が、受取り通路の壁に設けられ、制限突起は、端子がコネクタハウジングに事前挿入されるとき、端子に当接して端子の一部分をコネクタハウジングの外側で保持するように構成されている。
【００４１】
図１は、本開示の例示的な実施形態による第１のコネクタ１００の分解斜視図であり、図２は、事前挿入された状態にある図１に示す第１のコネクタ１００の斜視図であり、図３は、図１に示す第１のコネクタ１００の断面図であり、図４は、図２に示す第１のコネクタ１００の断面図である。
【００４２】
図１〜４に示す本開示の例示的な実施形態によれば、第１のコネクタ１００は、ワイヤに電気的に接続するように構成された第１の端子１と、第１の端子１を受け取るように構成された第１のハウジング２とを含む。
【００４３】
第１の受取り通路２５が、第１のハウジング２内に形成され、挿入方向に第１のハウジング２に挿入されて取り付けられた第１の端子１を受け取るように構成されている。例示的な実施形態では、少なくとも１つの第１の制限突起２２が、第１の受取り通路２５の壁に配置され、第１の制限突起２２は、第１の端子１が第１のハウジング２の第１の受取り通路２５に事前挿入されるとき、第１の端子１に当接して第１の端子１がさらに挿入されるのを防止し、第１の端子１の一部分を第１のハウジング２の第１の受取り通路２５の外側で保持し、それによって第１のハウジング２の第１の受取り通路２５の外側で保持された第１の端子１の一部分にワイヤを圧着することを容易にするように構成されている。
【００４４】
第１の端子１が第１のハウジング２に完全に挿入されたとき、第１の制限突起２２は、第１の端子１の前端によってこすり取られて、第１の端子１の第１の圧着部１５を第１のハウジング２にさらに挿入することを可能にする。このようにして、第１の端子１は、第１の受取り通路２５に完全に挿入されて取り付けられる。
【００４５】
第１の端子１は、第１の本体部１２と、第１の本体部１２の２つの対辺から第１の本体部１２の上側に向かって上方へ延びる２つの第１の固定アーム１１であって、第１の端子１の前端から挿入された第１の嵌合端子（図示せず）を第１の本体部１２と第１の固定アーム１１との間で固定する第１の固定アーム１１と、第１の本体部１２の後端に接続され、ワイヤが圧着されるように適合された第１の圧着部１５とを含む。一実施形態では、第１の圧着部１５は、２つの対向して配置された第１の圧着片１５１と、２つの対向して配置された第２の圧着片１５２とを含む。第１の圧着片１５１は、ワイヤの芯を圧着するために使用され、第２の圧着片１５２は、ワイヤの絶縁層を圧着するために使用される。
【００４６】
本開示の例示的な実施形態によれば、１つまたは複数の第１の制限突起２２を、必要に応じて第１の受取り通路２５の第１の底壁２５１、第１の側壁２５２、および第１の頂壁２５３のうちのいずれか１つまたはすべてに配置することができる。たとえば、第１の受取り通路２５の第１の底壁２５１に形成された２つの制限突起２２が示されている。
【００４７】
本開示の例示的な実施形態によれば、第１の端子１の第１の圧着部１５は、第１の本体部１２の一方の側から挿入方向に直交する方向に外方へ延び、それにより第１の端子１は、平面視で実質上「Ｌ」字形を有している。
【００４８】
「Ｌ」字形の形態の第１の端子１を受け取るために、第１のハウジング２は、第１の受取り通路２５の後端で挿入方向に直交する方向に延びる補助受取り部２４を有するようにさらに形成され、補助受取り部２４は、第１の受取り通路２５と連通され、それにより第１のハウジング２は、第１の端子１が第１のハウジング２に完全に挿入されたとき、「Ｌ」字形の形態の第１の端子１の第１の圧着部１５を受け取るように、「Ｌ」字形の形態である。
【００４９】
本開示の例示的な実施形態によれば、挿入方向に延びる第１の位置決め部２１が、第１の受取り通路２５の第１の頂壁２５３に設けられ、第１の位置決め部２１は、第１の端子１が第１のハウジング２に事前挿入されるとき、第１の端子１の第１の固定アーム１１を案内して第１の受取り通路２５に挿入させ、第１の固定アーム１１を第１の受取り通路２５内に位置決めし、第１のコネクタ１００を生産ラインから自動圧着装置へ移送する過程でその不十分な固定により事前挿入された第１の端子１が第１のハウジング２から切り離されるのを防止するように構成されている。
【００５０】
図１、図３、図４に示す本開示の例示的な実施形態によれば、第１の制限突起２２は、第１の受取り通路２５の第１の底壁２５１に位置している。
【００５１】
本開示の例示的な実施形態によれば、挿入方向に延びる第１の案内スロット２５１１が、第１の受取り通路２５の第１の底壁２５１に設けられており、第１の端子１の底壁１４の下方突出部（図示せず）を案内するようになっている。このようにして、下方突出部は、第１の端子１が第１の受取り通路２５に完全に挿入されたとき、第１の案内スロット２５１１の第１の突出壁（図示せず）に当接して、第１の端子１を第１の受取り通路２５内に位置決めするのを助ける。
【００５２】
図１および図２に示す本開示の例示的な実施形態によれば、後述する図８を参照すると、第１の端子１は、第１の端子１の底壁１４から挿入方向とは反対の方向に斜め上方へ延びる第１の解放アーム１３をさらに含み、第１の解放アーム１３は、上方へ曲がっている後端を有し、この後端は、第１の端子１が第１の受取り通路２５に完全に挿入されたとき、第１のハウジング２の一部分に当接する第１の駆動部１３１として働くようになっている。第１の嵌合端子が第１の端子１に挿入された場合、第１の嵌合端子を解放するために、第１のハウジング２は、完全に挿入された第１の端子１に対して後方へ動かされ、したがって第１の駆動部１３１は、第１のハウジング２によって押し下げられ、その結果、挿入された第１の嵌合端子を第１の端子１から解放することが可能になる。
【００５３】
本開示の例示的な実施形態によれば、第１の端子１は、第１の解放アーム１３に形成された第１の固定突起３６をさらに含み、第１の固定突起３６は、第１の嵌合端子が第１の端子１に挿入されたとき、第１の嵌合端子の第１の固定孔（図示せず）と協働して第１の嵌合端子を第１の本体部１２と第１の固定アーム１１との間でロックするように構成されている。
【００５４】
本開示の例示的な実施形態によれば、第１のハウジング２は、第１の受取り通路２５の第１の頂壁２５３から下方へ延びる第１の傾斜壁（図示せず）をさらに含み、第１の傾斜壁は、完全に挿入された第１の端子１に対して第１のハウジング２が後方へ動いたとき、第１の駆動部１３１を下方へ駆動して第１の固定突起３６を第１の固定孔から切り離し、それによって挿入された第１の嵌合端子を解放するように適合されている。
【００５５】
本開示の例示的な実施形態によれば、第１のハウジング２は、第１のハウジング２の前端に形成された第１の阻止突起２３をさらに含み、第１の阻止突起２３は、第１の端子１が第１のハウジング２に完全に挿入されたとき、第１の端子１がさらに挿入されるのを防止する。
【００５６】
第１の端子１は、それぞれ第１の圧着部１５の前端および／または後端に位置する第１のストリップ１６、１７をさらに有し、第１の端子１が処理されるとき、第１のストリップ１６、１７を介して複数の第１の端子１を連続して１列に接続することができる。
【００５７】
コネクタの製造中、まず１列の第１の端子１が、それぞれ生産ライン上で複数の第１のハウジング２に事前挿入され、第１の端子１を有する１列の事前挿入された第１のコネクタ１００を形成し、次いで１列の事前挿入された第１のコネクタ１００は、自動圧着デバイス内に設置される。自動圧着デバイスは、まずいずれか１つの第１の端子１の第１の圧着部１５内へワイヤを圧着し、次いでワイヤが圧着された第１の端子１を第１のハウジング２に完全に挿入して、組み立てられた第１のコネクタ１００を形成するように制御される。組み立てられた第１のコネクタ１００が使用されるとき、第１のストリップ１６、１７は第１のコネクタ１００から切り離される。これにより、ワイヤの手動圧着ステップおよび第１のコネクタ１００の手動挿入ステップがなくなり、第１のコネクタ１００を組み立てる動作を自動的に行うことができ、第１のコネクタの組立て時間および組立て人件費が削減される。
【００５８】
図５は、本開示の別の例示的な実施形態による第２のコネクタ２００の分解斜視図であり、図６は、事前挿入された状態にある図５に示す第２のコネクタ２００の斜視図であり、図７は、図５に示す第２のコネクタ２００の第２のハウジング４の斜視図であり、図８は、図５に示す第２のコネクタ２００の断面図であり、図９は、図６に示す第２のコネクタ２００の断面図であり、図１０は、図９に示す第２のコネクタ２００内の第２の端子３の断面図である。図５〜１０に示す本開示の別の例示的な実施形態によれば、第２のコネクタ２００は、ワイヤに電気的に接続するように構成された第２の端子３と、第２の端子３を受け取るように構成された第２のハウジング４とを含む。
【００５９】
第２の受取り通路４５が、第２のハウジング４内に形成され、挿入方向に第２のハウジング４に挿入されて取り付けられた第２の端子３を受け取るように構成されている。例示的な実施形態では、少なくとも１つの第２の制限突起４２が、第２の受取り通路４５の壁に配置され、第２の制限突起４２は、第２の端子３が第２のハウジング４の第２の受取り通路４５に事前挿入されるとき、第２の端子３に当接して第２の端子３がさらに挿入されるのを防止し、第２の端子３の一部分を第２のハウジング４の第２の受取り通路４５の外側で保持し、それによって第２のハウジング４の第２の受取り通路４５の外側で保持された第２の端子３の一部分にワイヤを圧着することを容易にするように構成されている。
【００６０】
第２の端子３が第２のハウジング４に完全に挿入されたとき、第２の制限突起４２は、第２の端子３の前端によってこすり取られて、第２の端子３の第２の圧着部３５を第２のハウジング４にさらに挿入することを可能にする。このようにして、第２の端子３は、第２の受取り通路４５に完全に挿入されて取り付けられる。
【００６１】
第２の端子３は、第２の本体部３２と、第２の本体部３２の２つの対辺から第２の本体部３２の上側に向かって上方へ延びる２つの第２の固定アーム３１であって、第２の端子３の前端から挿入された第２の嵌合端子（図示せず）を第２の本体部３２と第２の固定アーム３１との間で固定する第２の固定アーム３１と、第２の本体部３２の後端に接続され、ワイヤが圧着されるように適合された第２の圧着部３５とを含む。一実施形態では、第２の圧着部３５は、２つの対向して配置された第３の圧着片３５１と、２つの対向して配置された第４の圧着片３５２とを含む。第３の圧着片３５１は、ワイヤの芯を圧着するために使用され、第４の圧着片３５２は、ワイヤの絶縁層を圧着するために使用される。
【００６２】
本開示の別の例示的な実施形態によれば、１つまたは複数の第２の制限突起４２を、必要に応じて第２の受取り通路４５の第２の底壁４５１、第２の側壁４５２、および第２の頂壁４５３のうちのいずれか１つまたはすべてに配置することができる。
【００６３】
本開示の例示的な実施形態によれば、「Ｌ」字形の形態である第１の端子１とは異なり、第２の端子３の第２の圧着部３５は、挿入方向とは反対の方向に延び、その結果、第２の端子３は、平面視で実質上「直線」の形状を有している。
【００６４】
第１のハウジング２とは異なり、「直線」状の形態の第２の端子３を受け取るために、第２のハウジング４は、図１および図２に示されている補助受取り部２４が配置されない。図５および図６に示すように、第２のハウジング４の第２の受取り通路４５は、第２の端子３が第２のハウジング４に完全に挿入されたとき、第２の圧着部３５を受け取るように、「直線」状の形態である。
【００６５】
任意選択で、第２のハウジング４内に補助受取り部を設けることもでき、それによって第２のハウジング４の補助受取り部は、第２の受取り通路４５の後端で挿入方向とは反対の方向に延び、第２の受取り通路４５と連通され、第２の端子３の第２の圧着部３５を受け取る。
【００６６】
本開示の別の例示的な実施形態によれば、第２の制限突起４２は、第２の受取り通路４５の第２の側壁４５２に配置されている。
【００６７】
本開示の別の例示的な実施形態によれば、第２の側壁４５２は、挿入方向に延びるリブ４４を備え、第２の制限突起４２はリブ４４に配置されている。
【００６８】
本開示の別の例示的な実施形態によれば、挿入方向に延びる第２の位置決め部４１が、第２の受取り通路４５の第２の側壁４５２に設けられ、第２の位置決め部４１は、第２の端子３が第２のハウジング４に事前挿入されるとき、第２の端子３の第２の固定アーム３１を案内して第２の受取り通路４５に挿入させ、第２の固定アーム３１を第２の受取り通路４５内に位置決めするように構成されている。このようにして、第２のコネクタ２００を生産ラインから自動圧着装置へ移送する過程でその不十分な固定により事前挿入された第２の端子３が第２のハウジング４から外れるのを防止することが可能になる。
【００６９】
本開示の別の例示的な実施形態によれば、挿入方向に延びる第２の案内スロット４５１１が、第２の受取り通路４５の第２の底壁４５１に設けられており、第２の端子３の底壁３４の下方突出部３４１を案内するようになっている。このようにして、下方突出部３４１は、第２の端子３が第２の受取り通路４５に完全に挿入されたとき、第２の案内スロット４５１１の第２の突出壁４５１２に当接して、第２の端子３を第２の受取り通路４５内に位置決めするのを助ける。
【００７０】
図５および図６に示す本開示の別の例示的な実施形態によれば、第２の端子３は、第２の端子３の底壁３４から挿入方向とは反対の方向に斜め上方へ延びる第２の解放アーム３３をさらに含み、第２の解放アーム３３は、上方へ曲がっている後端を有し、この後端は、第２の端子３が第２の受取り通路４５に完全に挿入されたとき、第２のハウジング４の一部分に当接する第２の駆動部３３１として働くようになっている。第２の嵌合端子が第２の端子３に挿入された場合、第２の嵌合端子を解放するために、第２のハウジング４は、完全に挿入された第２の端子３に対して後方へ動かされ、したがって第２の駆動部３３１は、第２のハウジング４によって押し下げられ、その結果、挿入された第２の嵌合端子を第２の端子から解放することが可能になる。
【００７１】
本開示の別の例示的な実施形態によれば、第２の端子３は、第２の解放アーム３３に形成された第２の固定突起３６をさらに含み、第２の固定突起３６は、第２の嵌合端子が第２の端子３に挿入されたとき、第２の嵌合端子の第２の固定孔（図示せず）と協働して第２の嵌合端子を第２の本体部３２と第２の固定アーム３１との間でロックするように構成されている。
【００７２】
本開示の別の例示的な実施形態によれば、第２のハウジング４は、第２の受取り通路４５の第２の頂壁４５３から下方へ延びる第２の傾斜壁４６をさらに含み、第２の傾斜壁４６は、完全に挿入された第２の端子３に対して第２のハウジング４が後方へ動いたとき、第２の駆動部３３１を下方へ駆動して第２の固定突起３６を第２の固定孔から切り離し、それによって挿入された第２の嵌合端子を解放するように適合されている。
【００７３】
本開示の別の例示的な実施形態によれば、第２のハウジング４は、第２のハウジング４の前端に形成された第２の阻止突起４３をさらに含み、第２の阻止突起４３は、第２の端子３が第２のハウジング４に完全に挿入されたとき、第２の端子３がさらに挿入されるのを防止する。
【００７４】
第２の端子３は、第２の圧着部３５の後端に位置する第２のストリップ３７をさらに有し、第２の端子３が処理されるとき、第２のストリップ３７を介して複数の第２の端子３を連続して１列に接続することができる。
【００７５】
コネクタの製造中、まず１列の第２の端子３が、それぞれ生産ライン上で複数の第２のハウジング４に事前挿入され、第２の端子３を有する１列の事前挿入された第２のコネクタ２００を形成し、次いで１列の事前挿入された第２のコネクタ２００は、自動圧着デバイス内に設置される。自動圧着デバイスは、まずいずれか１つの第２の端子３の第２の圧着部３５内へワイヤを圧着し、次いでワイヤが圧着された第２の端子３を第２のハウジング４に完全に挿入して、組み立てられた第２のコネクタ２００を形成するように制御される。組み立てられた第２のコネクタ２００が使用されるとき、第２のストリップ３７は第２のコネクタ２００から切り離される。これにより、ワイヤの手動圧着ステップおよび第２のコネクタ２００の手動挿入ステップがなくなり、第２のコネクタ２００を組み立てる動作を自動的に行うことができ、第２のコネクタの組立て時間および組立て人件費が削減される。
【００７６】
上述した実施形態は例示的であり、その構造上または原理上矛盾することなく、当業者であれば修正することができ、様々な実施形態に記載した構造を自由に組み合わせることができることが、当業者には理解されよう。
【００７７】
本開示の好ましい実施形態について詳細に説明した後は、添付の特許請求の範囲の範囲および趣旨から逸脱することなく、様々な変更および修正を加えることができることが、当業者にははっきりと理解されよう。本開示は、本明細書に記載する例示的な実施形態のうちの実施形態に制限されるものではない。
【図１】
2019212624.tif 000003
【図２】
2019212624.tif 000004
【図３】
2019212624.tif 000005
【図４】
2019212624.tif 000006
【図５】
2019212624.tif 000007
【図６】
2019212624.tif 000008
【図７】
2019212624.tif 000009
【図８】
2019212624.tif 000010
【図９】
2019212624.tif 000011
【図１０】
2019212624.tif 000012
【外国語明細書】
2019212624000001.pdf